(57)【要約】【課題】プッシュピースが蓋体に設けられ意匠性に優れたコンパクト容器を提供する。【解決手段】容器本体２にこれを開閉すべくその後方側にてヒンジを介して回動自在に連結された蓋体４が前方側にて係脱自在な容器側フック部８ｃ及び蓋側フック部にて容器本体に係止されて閉じ状態とされるコンパクト容器１において、蓋体の前方側の端部に、前後方向にスライド自在に設けられ、後方側に向かって押圧されて容器側フック部及び蓋側フック部の係止状態を解除するプッシュピース５が、後方側が開放された凹部を有し、蓋体の前方側の端部は、凹部に収容される被収容部１３を有し、被収容部には、プッシュピースのスライドを許容するように凹部に設けられた角穴３５と凹部内にて係合する係合片１５が形成されている。【選択図】図２
2014018537.tif 000002
【特許請求の範囲】
【請求項１】
容器本体にこれを開閉すべくその後方側にてヒンジを介して回動自在に連結された蓋体が前方側にて係脱自在な係止部にて該容器本体に係止されて閉じ状態とされるコンパクト容器において、
上記蓋体の前方側の端部に、前後方向にスライド自在に設けられ、後方側に向かって押圧されて上記係止部の係止状態を解除するプッシュピースが、後方側が開放された凹部を有し、
上記蓋体の前方側の端部は、上記凹部に収容される被収容部を有し、
該被収容部には、上記プッシュピースのスライドを許容するように上記凹部に設けられた係合部と該凹部内にて係合する係合片が形成されていることを特徴とするコンパクト容器。
【請求項２】
前記プッシュピースは、前記蓋体の上面と対向する上面対向部と、該蓋体の下面と対向する下面対向部と、これら上面対向部と下面対向部とを前方側にて連結する連結部を有していることを特徴とする請求項１に記載のコンパクト容器。
【請求項３】
前記係合部は、前記凹部の内外を連通する開口であり、
前記係合片は、前記被収容部の前後方向と交差する左右方向における両側に弾性変形可能に形成された腕部に、当該腕部の弾性変形により左右方向に移動可能に形成されており、
上記凹部に、上記被収容部が収容されるときに、上記係合片が上記プッシュピースに押圧されて上記腕部が弾性変形することにより該凹部の内側に移動され、上記開口に係合されることにより、弾性変形が解除されて該プッシュピースが前記蓋体に保持されることを特徴とする請求項１または２に記載のコンパクト容器。
【発明の詳細な説明】
【技術分野】
【０００１】
本発明は、容器本体にヒンジを介して回動自在に連結された蓋体を閉じ状態とすべく係止する係止部を、押圧操作されるプッシュピースにて解除して蓋体が開かれるコンパクト容器に関する。
【背景技術】
【０００２】
容器本体と蓋体とがヒンジを介して回動自在に連結され、蓋体を閉じ状態とすべく係止する係止部を、押圧操作されるプッシュピースにて解除して蓋体が開かれるコンパクト容器は、たとえば化粧料を収容するコンパクト容器として知られている。このようなコンパクト容器は、たとえば、容器本体と蓋体とが後方側にて蝶着され、蓋体の前方側に設けられたフックと係脱自在な開閉部材（プッシュピース）が容器本体に設けられている（例えば、特許文献１参照）。
【先行技術文献】
【特許文献】
【０００３】
【特許文献１】特開２００８―１１３９３１号公報
【発明の概要】
【発明が解決しようとする課題】
【０００４】
上記のようなコンパクト容器の容器本体は、例えば化粧料などの内容物が収容される器状の収容部を有しているので、容器本体を単に覆う蓋体よりも厚みが厚く形成されている。このため、蓋体を開閉するために操作するプッシュピースは、設けるスペースが確保しやすい容器本体側に設けることが一般的である。しかしながら、プッシュピースを蓋体側に設けることが要求される場合がある。蓋体は、外部に露出される部位であるため、デザイン性が重視される。このため、蓋体を開閉するための操作部をなすプッシュピースを見栄えよく蓋体に設けることが要求されている。
【０００５】
本発明は上記従来の課題に鑑みて創案されたものであって、プッシュピースが蓋体に設けられ意匠性に優れたコンパクト容器を提供することを目的とする。
【課題を解決するための手段】
【０００６】
本発明に係るコンパクト容器は、容器本体にこれを開閉すべくその後方側にてヒンジを介して回動自在に連結された蓋体が前方側にて係脱自在な係止部にて該容器本体に係止されて閉じ状態とされるコンパクト容器において、上記蓋体の前方側の端部に、前後方向にスライド自在に設けられ、後方側に向かって押圧されて上記係止部の係止状態を解除するプッシュピースが、後方側が開放された凹部を有し、上記蓋体の前方側の端部は、上記凹部に収容される被収容部を有し、該被収容部には、上記プッシュピースのスライドを許容するように上記凹部に設けられた係合部と該凹部内にて係合する係合片が形成されていることを特徴とする。
【０００７】
前記プッシュピースは、前記蓋体の上面と対向する上面対向部と、該蓋体の下面と対向する下面対向部と、これら上面対向部と下面対向部とを前方側にて連結する連結部を有していることを特徴とする。
【０００８】
前記係合部は、前記凹部の内外を連通する開口であり、前記係合片は、前記被収容部の前後方向と交差する左右方向における両側に弾性変形可能に形成された腕部に、当該腕部の弾性変形により左右方向に移動可能に形成されており、上記凹部に、上記被収容部が収容されるときに、上記係合片が上記プッシュピースに押圧されて上記腕部が弾性変形することにより該凹部の内側に移動され、上記開口に係合されることにより、弾性変形が解除されて該プッシュピースが前記蓋体に保持されることを特徴とする。
【発明の効果】
【０００９】
本発明にかかるコンパクト容器にあっては、プッシュピースが蓋体に設けられ意匠性に優れたコンパクト容器を構成することができる。
【図面の簡単な説明】
【００１０】
【図１】本発明に係るコンパクト容器の好適な一実施形態を示す斜視図である。
【図２】図１に示したコンパクト容器の分解斜視説明図である。
【図３】図１に示したコンパクト容器の側断面説明図である。
【図４】図１に示したコンパクト容器に適用されるプッシュピースを上方から見た斜視図である。
【図５】図４に示したプッシュピースを下方から見た斜視図である。
【図６】図４に示したプッシュピースの側断面図である。
【発明を実施するための形態】
【００１１】
以下に、本発明に係るコンパクト容器の好適な一実施形態を、添付図面を参照して詳細に説明する。図１〜図３に示すように、本実施形態に係るコンパクト容器１は主に、容器本体２と、後方側にて容器本体２とヒンジ３を介して連結され、容器本体２を開閉する蓋体４と、蓋体４に設けられ、前方側にて蓋体４を開放するために押圧操作されるプッシュピース５と、押圧されたプッシュピース５の位置を復原するための弾性部材の一例であるゴム管６とを備えて構成される。
【００１２】
以下の説明においては、プッシュピース５からヒンジ３へ向かう方向を前後方向、水平面内にて前後方向と直交する方向を左右方向、蓋体４が容器本体２の上に位置するコンパクト容器１の使用状態において上下となる方向を上下方向として説明する。また、コンパクト容器１を構成する各部材は、単体の場合であっても、蓋体４を閉じて容器本体２上に載置している状態において、前後方向、左右方向、上下方向となる方向にて方向を特定して説明する。
【００１３】
容器本体２は、合成樹脂製であって、底壁７と、底壁７の周縁に当該底壁７から立ち上げて形成された周壁８と、周壁８に囲まれた領域を２つに分ける仕切り壁９とを備える。容器本体２には、底壁７上に周壁８と仕切り壁９とで取り囲んで、化粧料を充填するための化粧料収容空間Ｓ１と、化粧料を使用する際に用いる化粧具（図示せず）を収納する化粧具収納空間Ｓ２とが形成される。化粧料収容空間Ｓ１には、化粧料が充填された中皿等を収容するようにしてもよい。
【００１４】
図２に示すように、容器本体２の周壁８のうち、前方に面する前方壁部８ａには、左右方向における中央部分が、その後方側を窪ませて容器本体２の後方及び上方に向かって開放された溝部８ｂが形成され、溝部８ｂの上端部には図３に示すように、プッシュピース５に設けられた蓋側フック部１０ｄが係止されて係止部をなす容器側フック部８ｃが後方に向かって突出形成される。
【００１５】
蓋体４は、合成樹脂製であって、容器本体２を閉じた際に下面となる裏面には、鏡１１が取り付けられる。蓋体４の後端には、容器本体２の周壁８のうちの後方に位置する後方壁部８ｄと共にヒンジ３を構成するヒンジ突部４ｂが設けられ、蓋体４は、これらヒンジ突部４ｂ及び後方壁部８ｄとこれらにわたって挿入されるヒンジピン（図示せず）とから構成される一般周知の構成のヒンジ３によって、容器本体２に回動自在に連結される。蓋体４は、ヒンジ３を中心に下方へ向かって回動されることで、化粧料収容空間Ｓ１及び化粧具収納空間Ｓ２を覆いつつ、容器本体２を閉じ、上方へ向かって回動されることで、容器本体２を開放して、化粧料収容空間Ｓ１及び化粧具収納空間Ｓ２を露出させる。
【００１６】
蓋体４の前端部には、左右方向における中央から振り分けた位置に、前後方向に沿って２本のスリット１２が形成される。２本のスリット１２に挟まれた中央部分は、プッシュピース５に設けられる、後述する凹部Ｓ３内方に収容される被収容部１３をなす。
【００１７】
被収容部１３の前端は、各スリット１２より左右外側に位置する両側部位４ａの前端より僅かに後方側に位置される。被収容部１３の左右方向における両端部には、前端にて繋がり後方に向かって延びる腕部１４がそれぞれ形成される。２本の腕部１４の後端部にはそれぞれ、各腕部１４が各々面するスリット１２側に突出する係合片１５が設けられる。
【００１８】
２本の腕部１４は、支持されている前端側の部位１３ａを基点として、係合片１５が、左右方向における中央側に移動し、腕部１４の後端側にてスリット１２の幅が広がるように弾性変形、具体的には弾性により中央側へ撓むように構成される。また、係合片１５には、前方側に向く面に、後方側へ向かって立ち上がる傾斜面１５ａが形成される。
【００１９】
また、被収容部１３の前端側の中央には、後方側に窪ませた窪み１３ｂが形成される。窪み１３ｂには、プッシュピース５を前方に向かって付勢するためのゴム管６が挿入される突起１３ｃが前方へ向かって突出形成される。
【００２０】
プッシュピース５は、合成樹脂製で形成される。もちろん、金属など、その素材は問わない。プッシュピース５は図４〜図６に示すように、蓋体４が有する被収容部１３の上面１３ｄと対向する上面対向部１６と、蓋体４が有する被収容部１３の下面１３ｅと対向する下面対向部１０と、上面対向部１６と下面対向部１０とを前方側にて連結し、押圧操作される連結部１７と、上面対向部１６と下面対向部１０とを左右の側方にて上下に連結する側壁部１８とを有して、ボックス状に形成される。図５に示すように、上面対向部１６、下面対向部１０、連結部１７及び側壁部１８により、後方側が開放されて蓋体４の被収容部１３を収容する凹部Ｓ３が形成されている。
【００２１】
凹部Ｓ３の左右に位置する側壁部１８の間隔は、被収容部１３の左右方向の幅、すなわち左右の腕部１４との関係で、スリット１２を形成する当該腕部１４の外側の縁１４ａの間隔より僅かに広く形成される。このため、側壁部１８がスリット１２に入り込んだ状態にて、被収容部１３が凹部Ｓ３内方に収容される。
【００２２】
側壁部１８には、当該側壁部１８を貫通し、凹部Ｓ３の内外を連通する係合部としての角穴１９が設けられる。この角穴１９には、凹部Ｓ３に被収容部１３が収容された際に、被収容部１３に設けられた係合片１５が係合される。角穴１９は、上下方向の高さが、係合片１５の高さより僅かに大きく、また、前後方向の幅が係合片１５の前後方向の幅より十分に大きく形成され、係合片１５が角穴１９に係合された状態で、プッシュピース５が前後方向にスライド可能に構成される。
【００２３】
上面対向部１６及び連結部１７は、左右方向の幅が側壁部１８における外側面１８ａの間隔よりも広く延出された延出部１６ａ、１７ａを有し、これにより、被収容部１３が凹部Ｓ３に収容された際に、これら延出部１６ａ，１７ａは、外部にスリット１２が露出しないように隠蔽する。
【００２４】
下面対向部１０には、凹部Ｓ３内に臨む上面１０ａの左右方向における中央に、プッシュピース５の押圧操作によるゴム管６の伸縮時の方向をガイドするガイド溝１０ｂが設けられる。このガイド溝１０ｂに対応して、被収容部１３の下面１３ｅには、これより下方へ突出させて、かつゴム管６が装着される突起１３ｃの後方に位置させて、当該ガイド溝１０ｂ上をスライド自在に摺動して、プッシュピース５のスライドを安定化するガイドレール１１ｆが形成される。下方に突出するガイドレール１１ｆにより、蓋体４の厚さ方向におけるゴム管６の収納スペースも、余裕をもって確保される。また、下面対向部１０の下面１０ｃには、下方に突出させて容器本体２の容器側フック部８ｃと係合する蓋側フック部１０ｄが設けられる。
【００２５】
そして、プッシュピース５は、ゴム管６を被収容部１３の突起１３ｃに挿入して凹部Ｓ３内にゴム管６を配置すると共に、凹部Ｓ３に被収容部１３を収容すべく、上面対向部１６を被収容部１３の上面１３ｄに沿わせつつ、側壁部１８をスリット１２に押し込まれる。スリット１２内に押し込まれる側壁部１８は、後方側の縁１８ｄが係合片１５の傾斜面１５ａに当接され、さらにプッシュピース５を後方側へスライドさせると、側壁部１８に押圧された係合片１５が、腕部１４の弾性により左右方向における中央側に移動される。その後、プッシュピース５を後方側に押し込み続けると、これに伴い、係合片１５の先端が側壁部１８の内面１８ｃを摺動し、係合片１５が角穴１９に到達すると、腕部１４が弾性復原されて係合片１５が角穴１９に入り込む。係合片１５が角穴１９に入り込んだ状態にて、プッシュピース５は、係合片１５が角穴１９内にて前後方向に移動可能な範囲で、スライド可能に蓋体４に保持される。
【００２６】
本実施形態のプッシュピース５は、上面対向部１６が被収容部１３の上面１３ｄに当接され、下面対向部１０が被収容部１３の下面１３ｅに当接されて、プッシュピース５が後方に向かって押圧されると、ガイド溝１０ｂ及びガイドレール１１ｆでの摺接に加えて、上面対向部１６及び下面対向部１０が被収容部１３と摺接しつつスライドするように構成されている。
【００２７】
また、下面対向部１０との関係で、蓋体４には、プッシュピース５のスライドを許容しつつ、下面対向部１０の後端が嵌合するように挿入されるスペースを形成しながら、当該後端を下方から支持することが可能な迫り出し部２０が左右方向に沿って設けられる。この迫り出し部２０により、プッシュピース５の蓋体４に対する嵌着強度が増強される。また、迫り出し部２０は、蓋体４を開放したとき、下面対向部１０の後端を隠蔽してこれが露出することを防止でき、コンパクト容器１の使用状態における外観を良好に保持することができる。さらに、蓋体４裏面に位置して化粧料の付着に晒されやすい下面対向部１０、特にプッシュピース５のスライド機能部分への化粧料の侵入経路となる下面対向部１０の後端を迫り出し部２０によって隠蔽できるので、プッシュピース５の作動安定性を向上することができる。
【００２８】
プッシュピース５が押圧されて後方にスライドする際には、ゴム管６が圧縮され、プッシュピース５の押圧が解除されると、ゴム管６の弾性による復原力にて、プッシュピース５が前方にスライドする。プッシュピース５の後方へのスライドにより、蓋側フック部１０ｄと容器側フック部８ｃの係合が解除されて容器本体２が開放可能となり、開いた蓋体４を閉じることにより、蓋側フック部１０ｄが容器側フック部８ｃに係止されて容器本体２が閉じ状態となる。
【００２９】
本実施形態のコンパクト容器１によれば、蓋体４の容器本体２との係止状態を解除するプッシュピース５が、後方側が開放された凹部Ｓ３を有しており、角穴１９と係合する係合片１５が設けられた被収容部１３が凹部Ｓ３に収容されてプッシュピース５のスライドが許容されるので、蓋体４の容器本体２に対する係止状態を解除するプッシュピース５を蓋体４に設けたコンパクト容器１を得ることができる。このコンパクト容器１は、被収容部１３に設けられた係合片１５が、凹部Ｓ３を構成する側壁部１８の角穴１９に、凹部Ｓ３内にて係合するので、係合片１５と角穴１９とが係合している部分が外部に露出することがない。このため、操作部となるプッシュピース５を蓋体４に設けながらも、意匠性に優れたコンパクト容器１を提供することができる。
【００３０】
また、プッシュピース５の凹部Ｓ３に被収容部１３が挿入された状態で、プッシュピース５の上面対向部１６が、蓋体４が有する被収容部１３の上面１３ｄと対向し、下面対向部１０が、蓋体４が有する被収容部１３の下面１３ｅと対向しているので、上面対向部１６、下面対向部１０、被収容部１３は上下方向に重なっている。そしてまた、下面対向部１０は、迫り出し部２０を介して蓋体４に嵌着される。このため、プッシュピース５の上面対向部１６及び下面対向部１０は、被収容部１３や迫り出し部２０に補強される状態となるので、上面対向部１６及び下面対向部１０を単独で形成しただけの場合より、肉厚を薄くしても高い強度を備えることができる。これにより、コンパクト容器１を落とした場合など、プッシュピース５の前端に対し、上方からあるいは下方から、衝撃的な荷重が作用しても、プッシュピース５周辺が損傷されることを防止することができる。また、プッシュピース５が被収容部１３等で補強された状態となるので、上面対向部１６及び下面対向部１０の厚みを薄くすることができる。これにより、プッシュピース５における、蓋体４の上面からの突出量を小さく抑えることができるので、より意匠性に優れ厚みの薄いプッシュピース５、そしてまた厚さの薄い蓋体４を有するコンパクト容器１を構成することができる。
【００３１】
プッシュピース５は、被収容部１３が凹部Ｓ３に収容されるときに、係合片１５が側壁部１８に押圧され、これによる腕部１４の弾性変形によって凹部Ｓ３の内側に移動され、その後角穴１９に係合されると、弾性変形が解除されてプッシュピース５が蓋体４に係止されるので、被収容部１３を凹部Ｓ３に収容するだけでプッシュピース５を蓋体４に対してスライド自在に容易に保持させることができる。
【００３２】
上記実施形態では、蓋体４の左右方向中央にスリット１２を設けて被収容部１３を形成し、プッシュピース５も、蓋体４の左右方向中央に部分的に設ける場合を例にとって説明したが、プッシュピース５は、蓋体４の前方の端部において、左右方向全体に亘る大きさとしても良い。この場合には、被収容部１３も蓋体４の左右方向ほぼ全域に亘る大きさとなるので、スリット１２に代えて、蓋体４の左右方向両端部それぞれを切り欠いて切り欠き部を形成し、この切り欠き部に納まる腕部１４及び係合片１５を備えるようにすればよい。係合片１５は、蓋体４外方へ向けて形成される。そしてこの場合、上記実施形態で例示した角穴１９であると、当該角穴１９やこれに係合する係合片１５が蓋体４の側方から見えてしまうこととなり、外観を保持することができない。このような場合には、角穴１９に代えて、凹部Ｓ３内にて側壁部１８に設けられ、係合片１５と係合可能な貫通しない窪みを採用すればよい。このように構成すれば、上記実施形態と同様に、意匠性に優れた外観を保持することができる。このような構成であっても、上記実施形態と同様の作用効果が得られることはもちろんである。また、貫通しない当該窪みは、上記実施形態に対して採用することを妨げるものではない。
【符号の説明】
【００３３】
１  コンパクト容器
２  容器本体
８ｃ  容器側フック部
３  ヒンジ
４  蓋体
５  プッシュピース
１０  下面対向部
１０ｄ  蓋側フック部
１３  被収容部
１４  腕部
１５  係合片
１６  上面対向部
１７  連結部
１９  角穴
Ｓ３  凹部
【図１】
2014018537.tif 000003
【図２】
2014018537.tif 000004
【図３】
2014018537.tif 000005
【図４】
2014018537.tif 000006
【図５】
2014018537.tif 000007
【図６】
2014018537.tif 000008